(57)【要約】【課題】放置後汚れを生じることがなく、且つ、高画質なフルカラー画像を形成するのに適した下ベルト方式の定着装置を提供すること。【解決手段】画像形成が行われていない放置時には、クリーニング手段を加熱定着部材の表面から離間させるので、放置後汚れを生じることがない。又、本発明によれば、加圧部材が加熱定着部材に対して押圧されて接触状態となる前に、加熱定着部材の表面に付着した現像剤を清掃するので、加熱定着部材表面から加圧部材への現像剤の転移はなくなり、記録紙の裏汚れを防止することができる。【選択図】図１
2006153935.tif 000002
【特許請求の範囲】
【請求項１】
発熱手段を内蔵して回転する加熱定着部材と、該加熱定着部材に当接して回転し、該加熱定着部材の外周面を押圧することにより、該加熱定着部材とニップ部を形成するように配置された加圧部材とを有し、該ニップ部に、未定着の現像剤像を担持した記録材を通過させることにより、該記録材上の現像剤像を、所定の定着処理条件にて加熱及び加圧して該現像剤像を該記録材に定着させる装置であって、前記加圧部材は、前記加熱定着部材に対して押圧されてニップを形成している定着位置と、前記加熱定着部材とは離間されて待機する待機位置との間で接離移動可能であって、加熱定着部材の表面を清掃するクリーニング手段を有する定着装置において、
前記クリーニング手段は、前記熱定着部材に対して接離可能となっており、画像形成時においては、連続的に画像形成が行われる時において、連続的に上記ニップ部に記録材が搬送されている間は該加熱定着部材に当接したままであり、連続画像形成における最初の画像形成に供される記録材の先端が、該ニップ部に突入する時より所定時間だけ以前に該加熱定着部材に当接を開始し、連続画像形成の最後に画像形成に供される記録材の後端が該ニップ部を抜ける時より所定時間だけ以後に該加熱定着部材から離間し、ジャム処理後の復帰・立ち上げシーケンス時及び前記定着装置を備えた画像形成装置の電源投入後の立ち上げシーケンス時における、前記加圧部材及びクリーニング手段の、前記加熱定着部材に対する接離状態は、最初は共に離間状態であり、その後、前記クリーニング手段が前記加熱定着部材に当接し、且つ、前記加熱定着部材が回転して前記加熱定着部材の表面の清掃を行い、前記クリーニング手段が前記加熱定着部材に当接し、且つ、前記加熱定着部材が回転してから所定時間以後に前記加圧部材が前記加熱定着部材に対して押圧されて接触状態となることを特徴とする定着装置。
【請求項２】
前記クリーニング手段が上記加熱定着部材から離間するタイミングは、前記加熱定着部材の回転中であることを特徴とする請求項１記載の定着装置。
【請求項３】
前記クリーニング手段が上記加熱定着部材に当接し、且つ、前記加熱定着部材が回転してから上記加圧部材が上記加熱定着部材に対して押圧され接触するまでの所定時間は、前記加熱定着部材のジャム時における前記現像剤像を担持した記録材から上記加熱定着部材の表面にオフセットした現像剤の清掃が完了するまでの時間であることを特徴とする請求項１又は２記載の定着装置。
【請求項４】
前記加熱定着部材とニップ部を形成するように配置された前記加圧部材は、複数のローラによって張架された無端状のベルトであることを特徴とする請求項１〜３の何れかに記載の定着装置。
【請求項５】
前記加熱定着部材とニップ部を形成するように配置された前記加圧部材は、ローラ状の加圧ローラであることを特徴とする請求項１〜３の何れかに記載の定着装置。
【発明の詳細な説明】
【技術分野】
【０００１】
本発明は、複写機、プリンタ等の画像形成装置において未定着の現像剤像を加熱・加圧定着させるための定着装置に係り、特に、加熱定着部材の外周面を押圧することにより、該加熱定着部材とニップ部を形成するように配置された加圧部材及び加熱定着部材の表面を清掃するクリーニング手段の加熱定着部材に対する接離タイミングのシーケンスに関するものである。
【背景技術】
【０００２】
従来、この種の定着装置としては、加熱ロール等の加熱定着部材に対してロール状やベルト状の加圧部材を圧接配置し、加熱定着部材と加圧部材との間に形成された圧接部（ニップ部）に未定着トナー画像を担持した用紙を通過させ、用紙上の未定着トナー画像を加熱・加圧することにより用紙上に定着させるものが知られている。
【０００３】
又、近年では、フルカラー画像形成装置においても高速化が望まれるようになり、これに対しては、定着における加熱時間を長く取れる定着方式が採用されている。
【０００４】
この定着における加熱時間を長く取れる定着方式としては、複数のロールに張架された無端ベルト状の定着ベルトを加熱ロールに圧接させる所謂ベルトニップ方式の定着装置が知られている。
【０００５】
又、近年、フルカラー画像形成装置においては、トナー画像の発色性や画像品質を向上させるという観点から、記録用紙として用紙の表面又は表裏両面に合成ゴムや合成樹脂等から成るコート層を数μｍ〜数十μｍの厚さにコーティングした所謂コート紙が用いられるようになってきている。
【０００６】
前記コート紙上に形成された未定着トナー画像を上記の定着装置において定着させる場合、コート紙に必要以上の熱量が加えられると、コート紙上のコート層が部分的に押し上げられる、所謂ブリスタと呼ばれる現象（以下、単に「ブリスタ」と言う）が発生することがある。
【０００７】
又、前記ブリスタと呼ばれる現象以外にも、例えばフルカラー画像のように密度の高い未定着トナー画像が形成されたコート紙を上記定着装置によって定着させる場合、コート紙上のトナー層に気泡が発生する、所謂トナーブリスタと呼ばれる現象（以下、単に「トナーブリスタ」と言う）を生じることもある。
【０００８】
このようなブリスタやトナーブリスタと呼ばれる現象を防止する手段としては、加熱ロールの表面に、複数のロールによって張架された加熱源を有する加圧ベルトを圧接させ、前記加熱ロールと加圧ベルトとの圧接部に未定着トナー像を担持した転写材を通過させることにより、熱及び圧力によって定着処理を行う定着装置において、前記加熱ロールの設定温度と加圧ベルトの設定温度を異なる値に設定し、前記加熱ロールと加圧ベルトとを接触及び離間させる接離手段を設けるとともに、前記ベルト定着部材を独自に回転駆動させる駆動手段を設けたものが提案されている。
【０００９】
そして、上記定着装置において、スタンバイ中は接離手段により加熱ロールと加圧ベルトとを離間させ、駆動手段によって加圧ベルトを空回転させ、加圧ベルトを加熱ロールよりも低い温度に加熱して加圧ベルトの表面温度を加熱ロールよりも低い一定の温度に加熱するとともに、定着時には接離手段によってこれら加熱ロールと加圧ベルトとを圧接させるようにすれば、定着時に定着ニップ域において用紙の表裏から加わる温度に差を生じることとなるため、記録用紙内部の水分の蒸発を抑え、ブリスタ及びトナーブリスタを防止することが可能となる。
【００１０】
このような、加熱ロールと加圧ベルトとの圧接部(
以下、「ニップ部」と記す) に未定着トナー像を担持した転写材を通過させることにより、熱及び圧力によって定着処理を行う定着装置においては、従来の加熱ロールと加圧ローラとの圧接によりニップを形成する定着装置に比べ、ニップ部の距離が長く取れるため、未定着トナー像を担持した転写材を定着処理する際に、ニップ部における滞在時間が長く取れる。このため、ニップ部においてトナー像を十分溶融させるでき、定着後のトナー像（特に、べた画像）における光沢度が高いものが得られる。
【００１１】
以上に述べた状況から、近年では、高画質なフルカラー画像をのぞまれる画像形成装置においては、加熱ロールと加圧ベルトとでニップ部を形成する、所謂下ベルト方式の定着器が採用するようになってきた。
【発明の開示】
【発明が解決しようとする課題】
【００１２】
しかしながら、このように下ベルト方式を採用した定着器においては、高光沢度の画像が得られるものの、転写材の坪量（ｇ／ｍ２
）の低い、所謂薄紙に対しては、ニップ通過時に未定着トナー像を担持した転写材に与えられる熱量が過剰気味となり、高温オフセット気味となる。この高温オフセットによる、オフセットトナーは、加熱ロールに付着するが、この付着トナーは、通常図示すようなクリーニングウェブを当接させるクリーニング手段により清掃される。
【００１３】
しかし、このようなクリーニング手段を設けても、下ベルト方式で薄紙を通紙した際の、高温オフセット量は、特にハーフトーン画像で多くなるため、クリーニングウェブの当接面の汚れがひどくなる。ここで、図８のようにクリーニングウェブを当接させたままのクリーニング方式では、クリーニングウェブの当接面の汚れがひどくなると、画像形成装置が未使用のまま放置された後に、クリーニングウェブの当接面に回収されたトナーが再び加熱ロール側に付着し、転写材の汚れ( 以下、放置後汚れと記す) を引き起こしていた。
【００１４】
そこで本発明は、放置後汚れを生じることがなく、且つ、高画質なフルカラー画像を形成するのに適した下ベルト方式の定着装置を提供することを目的とする。
【課題を解決するための手段】
【００１５】
上記目的を達成するため、本発明は、発熱手段を内蔵して回転する加熱定着部材と、該加熱定着部材に当接して回転し、該加熱定着部材の外周面を押圧することにより、該加熱定着部材とニップ部を形成するように配置された加圧部材とを有し、該ニップ部に、未定着の現像剤像を担持した記録材を通過させることにより、該記録材上の現像剤像を、所定の定着処理条件にて加熱及び加圧して該現像剤像を該記録材に定着させる装置であって、前記加圧部材は、前記加熱定着部材に対して押圧されてニップを形成している定着位置と、前記加熱定着部材とは離間されて待機する待機位置との間で接離移動可能であって、加熱定着部材の表面を清掃するクリーニング手段を有する定着装置において、
前記クリーニング手段は、前記熱定着部材に対して接離可能となっており、画像形成時においては、連続的に画像形成が行われる時において、連続的に上記ニップ部に記録材が搬送されている間は該加熱定着部材に当接したままであり、連続画像形成における最初の画像形成に供される記録材の先端が、該ニップ部に突入する時より所定時間だけ以前に該加熱定着部材に当接を開始し、連続画像形成の最後に画像形成に供される記録材の後端が該ニップ部を抜ける時より所定時間だけ以後に該加熱定着部材から離間し、ジャム処理後の復帰・立ち上げシーケンス時及び前記定着装置を備えた画像形成装置の電源投入後の立ち上げシーケンス時における、前記加圧部材及びクリーニング手段の、前記加熱定着部材に対する接離状態は、最初は共に離間状態であり、その後、前記クリーニング手段が前記加熱定着部材に当接し、且つ、前記加熱定着部材が回転して前記加熱定着部材の表面の清掃を行い、前記クリーニング手段が前記加熱定着部材に当接し、且つ、前記加熱定着部材が回転してから所定時間以後に前記加圧部材が前記加熱定着部材に対して押圧されて接触状態となることを特徴とする。
【発明の効果】
【００１６】
本発明によれば、画像形成が行われていない放置時には、クリーニング手段を加熱定着部材の表面から離間させるので、放置後汚れを生じることがない。又、本発明によれば、加圧部材が加熱定着部材に対して押圧されて接触状態となる前に、加熱定着部材の表面に付着した現像剤を清掃するので、加熱定着部材表面から加圧部材への現像剤の転移はなくなり、記録紙の裏汚れを防止することができる。
【発明を実施するための最良の形態】
【００１７】
＜実施の形態１＞
以下、添付図面に基づいて本発明の加熱定着装置を詳細に説明する。
【００１８】
図１は本発明を適用可能な加熱定着装置の実施例を示すものである。同図に示すように、この加熱定着装置は、ヒータとしてのハロゲンランプ１１を内蔵した加熱定着ローラ（加熱定着部材）１と、この加熱定着ローラ１の周面の一部に巻き付くようにして圧接され、加熱定着ローラ１と相俟って記録シート６を挟み込むニップ領域を形成する無端状のベルト（以下、「エンドレスベルト」と言う）２と、こようなニップ領域の終端部において上記エンドレスベルト２の内側から加熱定着ローラ１に圧接し、加熱定着ローラ１と記録シート６との分離を行う分離ローラ３と、やはり上記ニップ領域内において加熱定着ローラ１に圧接し、定着ニップの一部を形成する加圧パッド５１とから構成され、未定着トナー像５を担持した記録シート６が上記加熱定着ローラ１とエンドレスベルト２の間に挿通されるようになっている。
【００１９】
先ず、上記加熱ローラ１は金属製の芯金１２の周囲を弾性体層１３で被覆すると共に、芯金１２の内部に出力８００Ｗのハロゲンランプ１１を収容したものであり、上記芯金１２としては肉厚３．０ｍｍ程度の熱伝導性に優れたアルミニウム製円筒体が用いられている。上記弾性体層１３は耐熱性を備えた下地層１３ａと溶融したトナーの付着を防止するためのトップコート層１３ｂとから成り、下地層１３ａには厚さ１．５ｍｍのシリコーンゴムが、トップコート層１３ｂには厚さ３０μｍのＰＦＡチューブがそれぞれ用いられ、下地層１３ａに対してトップコート層１３ｂを被覆することで加熱ローラ１の周面を鏡面に近い表面状態に保たれている。又、この加熱ローラ１には図示外の駆動モータが接続されており、所定の角速度で回転駆動されるようになっている。
【００２０】
この加熱定着ローラ１の表面温度は常に温度センサ８によって検出されており、マイクロコンピュータから成る不図示の制御部は該検出温度に基づいて上記ハロゲンランプ１１の点灯を制御し、加熱定着ローラ１の表面温度を常に所定の制御温度に維持するようになっている。本実施の形態においては、加熱定着ローラ１の表面温度は、画像形成時において、１６５℃に制御されるように設定されている。
【００２１】
一方、上記エンドレスベルト２は厚さ８０μｍのポリイミドフィルムから成る基材の上に厚さ２００μｍの弾性層を設けると共に、弾性層の上に厚さ３０μｍのＰＦＡチューブから成る離型層を設けたものであり、上記分離ローラ３を含む３本のステンレス製等のローラ３，２２，２３に対して架け回されると共に、加熱ローラ１の回動に連れ回されて自在に回転するように構成されている。尚、ロール２３の回転軸を傾斜させることにより、エンドレスベルト２の片寄りを防止する所謂ステアリングロールとしてロール２３を使用する場合には、当該ロール２３は、ステンレス等の金属から成る円筒状又は円柱状部材の表面に弾性体層を被覆して形成しても良い。
【００２２】
このエンドレスベルト２が架け回された分離ローラ３は、コイルスプリング３１によって加熱定着ローラ１の中心へ向け付勢されており、これによって分離ローラが当接した加熱定着ローラの弾性体層にはその内径に向かう歪みが生じており、この歪みにより記録シート６が加熱定着ローラ１より分離される。
【００２３】
一方、上記加圧パッド５１は、分離ローラ３よりもニップ領域の始端部側に隣接配設され、エンドレスベルト２の加熱ローラ１に対する圧接力を向上させ、ニップ領域を形成させるべく、エンドレスベルト２の裏面側から加熱ローラ１に圧接している。
【００２４】
この加圧パッド５１は、ステンレス鋼製の支持部材（台座）５２の上に、厚さ３ｍｍのＬＴＶシリコーンゴム層から成る弾性層５３を積層するとともに、この弾性層５３の表面を低摩擦層５４によって被覆した構成となっており、支持部材（台座）５２側に配置されたコイルスプリング５５によって、加熱定着ローラ１の中心に向け付勢されている。尚、低摩擦層５４としては、ポリテトラフルオロエチレンを含浸させたガラス繊維シート等が用いられる。
【００２５】
更に、上記加熱定着ローラ１の表面には、図１に示すように、当該加熱定着ローラ１の表面を清掃するためのクリーニング手段２０が配置されている。このクリーニング手段２０は、供給ローラ２０ａより清掃用のクリーニングウエブＷを供給するとともに、当該クリーニングウエブＷを図示しないモータによって回転駆動される巻取ローラ２０ｃにより巻き取る間に、クリーニングウエブＷを圧接ローラ２０ｄによって加熱定着ローラ１の表面に圧接することにより、加熱定着ローラ１の表面に付着したオフセットトナーを除去するように構成されている。本実施の形態におけるクリーニングウェブＷは、厚さ約４０μｍで、アラミド繊維とポリエステル繊維を混合したものを不織布にしたものを用いている。又、クリーニングウェブＷには、トナー離型用のシリコーンオイルが含浸されている。
【００２６】
そして、以上のように構成された画像定着装置においては、上記加熱ローラ１とエンドレスベルト２との圧接によって形成されたニップ領域に対して記録シート６を挿通させると、記録シート６に担持されていた未定着トナー像５が加熱・加圧されて記録シート６に定着され、更にニップ領域の終端部で上記分離ローラ３を加熱ローラ１に圧接させたことにより、剥離爪等の強制的な剥離手段を用いることなく、ニップ領域を通過した記録シート６を加熱ローラ１から自然と剥離させることができるようになっている。
【００２７】
ところで、本実施の形態では、ブリスタ及びトナーブリスタを防止するために、エンドレスベルト２の表面の温度上昇を抑える手段として、前記加熱定着ローラ1 とエンドレスベルト２とを接触及び離間させる接離手段を設けている。
【００２８】
即ち、本実施の形態では、図２に示すように、エンドレスベルト２を加熱定着ローラ１の表面から離間させる接離手段２１が設けられている。この接離手段２１は、エンドレスベルト２を張架する３本のロール３，２２，２３が取り付けられたフレーム３２を、回動軸３３を中心にして揺動自在に支持するとともに、このフレーム３２の下端部に偏心カム２４を当接させ、当該偏心カム２４を駆動モータ２５によって所定のタイミングで、所定量だけ回転駆動することにより、フレーム３２を加熱定着ローラ１と接離する方向に揺動させるように構成されている。
【００２９】
更に、本実施の形態では、クリーニングウエブＷの当接による、放置後汚れを防止するために、クリーニングウエブＷの定着ローラ１表面への接離手段を設けている。即ち、図１に示すように、圧接ローラ２０ｄの支持部材を図不示の移動手段で移動させ、図の点線と実線で示すように、定着ローラ１表面に対して、クリーニングウエブＷの接離を所定のタイミングで行う構成となっている。
【００３０】
脱着のタイミングは、本実施の形態では、記録材の先端がニップ領域に突入する時点より、定着ローラの回転で１回転分前（本実施の形態では、定着ローラ回転速度が２７３ｍｍ／ｓｅｃ、定着ローラの外径が８０ｍｍであるため、０．９２秒前) に定着ローラに当接し、又、一連の画像形成における最後の記録材の後端がにニップ領域を抜けた時点より、定着ローラの回転で１回転分後（０．９２秒後）で、且つ、定着ローラが回転している時に定着ローラから離間し、連続的に記録材が定着装置を通過している時は当接したままである。
【００３１】
上述のように、本実施の形態では、エンドレスベルト２とクリーニングウェブＷの両方を、加熱定着ローラ１に対し接離を行う構成となっているが、その加熱定着ローラ１に対する当接タイミングが、特にジャム処理後の復帰・立ち上げシーケンスにおいて重要となる。つまり、ジャム時に加熱定着ローラ１にオフセットしたトナーが、クリーニングウェブＷにより、完全に清掃される前に、エンドレスベルト２が加熱定着ローラ１に当接されると、未清掃の定着ローラ１上のオフセットトナーが、定着ローラ１からエンドレスベルト２に転移し、更にこのエンドレスベルト２に転移したトナーが記録紙の定着時に、記録紙の裏側に転移して、出力された記録紙の裏側がトナー汚れするという、所謂裏汚れという問題が生じる。
【００３２】
このような問題点を解決するため、本発明においてはエンドレスベルト２の当接タイミングについて適正化を行った。先ず、ジャム時において、定着ローラ１上にオフセットしたトナーがどれ位の時間で、完全に清掃されるかについて検討を行った。この検討においては、最悪の場合を想定し、記録シート６に最大載り量（本実施の形態では、記録シート６のトナー量で１．５ｍｇ／ｃｍ2 ）のべた画像の未定着画像が、定着ニップ内でジャムで滞留した時に、定着ローラ１上にオフセットしたトナーを、クリーニングウェブＷを当接させ定着ローラ１を回転させ完全清掃するまでの時間を求めた。これによれば、２分間という結果になった。
【００３３】
従って、本実施の形態では、ジャム処理後の復帰・立ち上げシーケンスにおけるエンドレスベルト２とクリーニングウェブＷの加熱定着ローラ１への当接タイミングを図３のようなタイミングチャートのごとく設定している。先ず、ジャム処理後の復帰・立ち上げシーケンスでの最初の時点（Ｔ０）では、ジャム紙の排除のためにエンドレスベルト２、クリーニングウェブＷと共に離間した状態である。その後、復帰・立ち上げシーケンスに入り、加熱定着ローラ１の表面温度がＳＴ１＝１５０℃に達した時点で、先ずクリーニングウェブＷが加熱定着ローラ１へ当接する（Ｔ１）。
【００３４】
ここで、このＳＴ１＝１５０℃は、加熱定着ローラ１上のオフセットトナーの清掃性が高まる温度を基に決められている。又、クリーニングウェブＷの当接直後すぐに、定着ローラ１の回転が始まり（Ｔ２）、加熱定着ローラ１表面上のオフセットトナーの清掃が始まる。そして、Ｔ２から２分後に先ず定着ローラ１の回転が停止し（Ｔ３）、その直後にエンドレスベルト２が加熱定着ローラ１へ当接する（Ｔ４）。更に、エンドレスベルト２が当接された直後に、再び定着ローラ１の回転が始まり（Ｔ５：エンドレスベルト２は従動で回転開始）、このままスタンバイ状態の温調点ＳＴ２＝１６５℃に達するまで、定着ローラ１の回転及びヒータの温調が続けられ、スタンバイ温調点ＳＴ２＝１６５℃に達した時点（Ｔ６）で、クリーニングウェブＷが先ず離間し、続けて定着ローラ１の回転の停止、エンドレスベルト２の離間を行いスタンバイ状態となる。
【００３５】
又、上記ジャム処理後の復帰・立ち上げシーケンス中においては、クリーニングウェブＷは、定着ローラ１の回転が始まった時（Ｔ２）から回転が停止する（Ｔ３）まで１回／１秒の送り速度で送られている（本実施の形態では、1 回当たり約０．０６ｍｍ送られる）。
【００３６】
以上説明したように、本実施の形態では、画像形成が行われていない放置時には、クリーニングウェブＷを定着ローラの表面から離間させるので、放置後汚れを生じることがなくなった。
【００３７】
更に、本実施の形態では、ジャム処理後の復帰・立ち上げシーケンスにおいて、エンドレスベルト２が定着ローラ１に対して押圧されて接触状態となる前に、定着ローラ１の表面に付着したトナーを完全に清掃するので、定着ローラ１表面からエンドレスベルト２へのトナーの転移はなくなり、記録シート６の裏汚れを防止することができた。
【００３８】
＜実施の形態２＞
実施の形態１では、ジャム処理後の復帰・立ち上げシーケンスにおいて、クリーニングウェブＷの送りは、定着ローラ１の回転が始まった時（Ｔ２）から、回転が停止する（Ｔ３）までの間で送っていたが、更にＴ３から時間を延長してクリーニングウェブＷを、クリーニングウェブＷの定着ローラ１へ当接している幅（以下、「ウェブのニップ幅」と記す）分だけ、クリーニングウェブＷを送り、クリーニングウェブＷが離間し、次回に定着ローラ１に当接する時に、ジャム処理後のシーケンス中に使用されていなかったウェブの新しい部分が当接されるようにしても良い（図４）。本実施の形態では、ウェブのニップ幅は５．０ｍｍであったので、実施の形態１と同じ送り速度で５／０．０６＝８３秒延長して、クリーニングウェブＷが送られる。
【００３９】
この場合には、実施の形態１で述べた効果の他に、ジャム処理後の画像形成時に、クリーニングウェブＷに回収されたトナーが再度定着ローラ1 上に再度付着する現象を防止できる。
【００４０】
＜実施の形態３＞
実施の形態１では、ジャム処理後の復帰・立ち上げシーケンスにおいて、エンドレスベルト２が加熱定着ローラ１へ当接する際には、一旦、加熱定着ローラ１の回転が停止し、エンドレスベルト２が当接された後に再度、回転が始まるようなシーケンスを取っていたが、図４のタイミングチャートに示すように、加熱定着ローラ１が回転したままで、エンドレスベルト２が当接を行っても良い。
【００４１】
この場合には、実施の形態１で述べた効果の他に、加熱定着ローラ１の回転が一旦停止し、再度回転するという動作を行わないので、ジャム処理後の復帰・立ち上げシーケンスの時間の短縮ができる。
【００４２】
＜実施の形態４＞
実施の形態１では、ジャム処理後の復帰・立ち上げシーケンスにおいては、クリーニングウェブＷが加熱定着ローラ１へ当接するのは、加熱定着ローラ１の回転が停止中であったが、図６のタイミングチャートに示すように、クリーニングウェブＷが加熱定着ローラ１へ当接タイミングを、加熱定着ローラ１の回転中であったり（６（ａ））、加熱定着ローラ１の回転開始と同時であったり( 図６（ｂ））、又、更には、加熱定着ローラ１の回転中であったのを、一旦停止し、停止した時にクリーニングウェブＷを加熱定着ローラ１へ当接し、クリーニングウェブＷの当接後に、再度加熱定着ローラ１の回転が開始される（図６（ｃ））シーケンスとしても良い。
【００４３】
この場合には、実施の形態１で述べた効果の他に、加熱定着ローラ１が前もって回転されるので、加熱定着ローラ１のヒータによる温度復帰が早くなり、スタンバイ状態に至るまでの復帰・立ち上げシーケンスの時間の短縮ができる。
【００４４】
＜実施の形態５＞
実施の形態１では、ジャム処理後の復帰・立ち上げシーケンスにのみ、図３のタイミングチャートに示すシーケンスとしたが、実施の形態１に記したような定着装置を備えた画像形成装置本体の電源投入後の立ち上げ時にも、図３に示すシーケンスは適用できる。
【００４５】
この場合には、実施の形態１で述べた効果の他に、画像形成装置本体の電源投入後のシーケンスを、通常用とジャム処理後用との２種類に分ける必要がなくなり、シーケンスが単純にでき、本体のシーケンス制御の負荷を軽減できるという効果を有する。
【００４６】
＜実施の形態６＞
実施の形態１〜５では、クリーニング手段として、クリーニングウェブＷを用いていたが、図６に示すようなローラ方式のクリーニング手段３４を用いても良い。図６のクリーニングローラ３４としては、芯金の周りにスポンジ層を介して、フェルト（例えば、ノーメックスフェルト）を巻き付けたものが一般に用いられている。
【００４７】
この場合には、クリーニングローラはクリーニングウェブに比べて、交換性が良いので、実施の形態１で述べた効果の他に、サービス性が良いという効果も有する。
【図面の簡単な説明】
【００４８】
【図１】本発明の実施の形態１に係る定着装置を示す概略構成図である。
【図２】エンドレスベルトの接離手段を示す構成図である。
【図３】本発明の実施の形態１でのジャム処理後の復帰・立ち上げシーケンスにおけるクリーニングウェブ、エンドレスベルトの接離及び定着ローラの回転／停止のタイミングを示すタイミングチャートである。
【図４】本発明の実施の形態２に係るタイミングチャートである。
【図５】本発明の実施の形態３に係るタイミングチャートである。
【図６】本発明の実施の形態４に係るタイミングチャートである。
【図７】本発明の実施の形態６に係る定着装置を示す概略構成図である。
【図８】従来の下ベルト定着器でのクリーニング手段を示す概略構成図である。
【符号の説明】
【００４９】
１    加熱定着ローラ
２    エンドレスベルト
３    分離ローラ
５    トナー像
６    記録シート
１１  ハロゲンランプ
５１  加圧パッド
２０  クリーニング手段
２０ｄ  圧接ローラ
２１  エンドレスベルトの接離手段
３２  フレーム
３３  回転軸
２４  偏心カム
３４  クリーニングローラ
Ｗ    クリーニングウェブ
【図１】
2006153935.tif 000003
【図２】
2006153935.tif 000004
【図３】
2006153935.tif 000005
【図４】
2006153935.tif 000006
【図５】
2006153935.tif 000007
【図６】
2006153935.tif 000008
【図７】
2006153935.tif 000009
【図８】
2006153935.tif 000010